(57)【要約】本発明は、使い捨て綿棒が順次に排出される耳掻きに係り、その構成は、内部は貫通され、内部に一列に収容される多数の綿棒（２０）が抜脱されないように一方向に導く案内棒と、前記案内棒に内蔵されるものであり、一方の端には耳垢を取り易くするための吸着部材が形成され、他方の端には嵌込溝が刻設される多数の綿棒と、を備えることを特徴とし、長尺のペン状の案内棒に短尺状に形成される多数の綿棒を一列に長く連ねて内蔵するような構造を有し、携行し易さを確保するために案内棒をコンパクト化させても大量の綿棒が保管できることから、携行性が確保されるという効果があるだけではなく、引出手段を用いて案内棒の一方の端に綿棒を順次に且つ手軽に引き出して使用できることから、使い勝手の良さが確保されるという効果がある。
2016539754.tif 000002
【特許請求の範囲】
【請求項１】
内部は貫通され、内部に一列に収容される多数の綿棒（２０）が抜脱されないように一方向に導く案内棒（１０）と、
前記案内棒（１０）に内蔵されるものであり、一方の端には耳垢を取り易くするための吸着部材（２１）が形成され、他方の端には嵌込溝（２２）が刻設される多数の綿棒（２０）と、
を備え、
前記綿棒（２０）の一方の端が他の前記綿棒（２０）の嵌込溝（２２）に嵌め込まれるようになっており、多数の前記綿棒（２０）が一列に前記案内棒（１０）の内部に収容されるが、前記案内棒（１０）の一方の端には一つの前記綿棒（２０）が露設されてユーザが露設された前記綿棒（２０）を使用できるようにすることを特徴とする使い捨て綿棒が順次に排出される耳掻き。
【請求項２】
前記綿棒（２０）の吸着部材（２１）として綿塊を使用するか、或いは、
前記吸着部材（２１）をへら状に形成して使用することを特徴とする請求項１に記載の使い捨て綿棒が順次に排出される耳掻き。
【請求項３】
前記案内棒（１０）の他方の端を閉じて前記案内棒（１０）に収容される前記綿棒（１０）の外部への抜脱を防ぐ蓋体（３０）を更に備えることを特徴とする請求項１又は請求項２に記載の使い捨て綿棒が順次に排出される耳掻き。
【請求項４】
前記案内棒（１０）に収容される多数の前記綿棒（２０）を順次に前記案内棒（１０）の一方の端に引き出す引出手段（４０）を更に備え、
ユーザが前記引出手段（４０）を操作して前記案内棒（１０）に収容された前記綿棒（２０）を順次に且つ手軽に外部に引き出して使用できるようにすることを特徴とする請求項１又は請求項２に記載の使い捨て綿棒が順次に排出される耳掻き。
【請求項５】
前記引出手段（４０）は、
前記案内棒（１０）の一方の端の内周面に形成される固定溝（４１）と、
前記案内棒（１０）の一方の端に前記固定溝（４１）と向かい合うように形成される固定孔（４２）と、
一方の側には前記固定溝（４１）に嵌着される固定突起（４３ａ）が形成され、他方の端には前記固定孔（４２）を貫通して外部に露出される引出ボタン（４３ｂ）が形成され、内部には前記綿棒（２０）の外周面を押し付けて結束するように長円状の結束孔（４３ｃ）が形成されるものであり、弾性を有する結束部材（４３）と、
を備え、
ユーザが前記結束部材（４３）の引出ボタン（４３ｂ）を押下すると、前記結束部材（４３）の他方の端が押し付けられながら前記結束部材（４３）の結束孔（４３ｃ）が真円状に変形されて前記綿棒（２０）が結束孔（４３ｃ）を手軽に通過して前記案内棒（１０）の外部に引き出されるようにし、
ユーザが前記引出ボタン（４３ｂ）の押下を解放すると、真円状に押し付けられて変形された前記結束孔（４３ｃ）が長円状に戻りながら前記綿棒（２０）を押し付けて前記綿棒（２０）を強固に結束することを特徴とする請求項４に記載の使い捨て綿棒が順次に排出される耳掻き。
【請求項６】
前記案内棒（１０）の一方の端を閉じて前記案内棒（１０）の一方の端に露設される前記綿棒（２０）の露出を防ぐキャップ（５０）を更に備えることを特徴とする請求項１に記載の使い捨て綿棒が順次に排出される耳掻き。
【請求項７】
前記案内棒（１０）の内周面には、前記案内棒（１０）に収容される多数の前記綿棒（２０）を安定的に搬送して導く案内ガイド（６０）が前記案内棒（１０）の長手方向に長く少なくとも２以上形成されることを特徴とする請求項１に記載の使い捨て綿棒が順次に排出される耳掻き。
【発明の詳細な説明】
【技術分野】
【０００１】
本発明は、使い捨て綿棒が順次に排出される耳掻き（イヤークリーナー）に係り、更に詳しくは、 長尺のペン状の案内棒に短尺状に形成される多数の綿棒を一列に長く連ねて内蔵するような構造を有し、携行し易さを確保するために案内棒をコンパクト化させても大量の綿棒が保管できることから、携行性が確保されるだけではなく、引出手段を用いて案内棒の一方の端に綿棒を順次に且つ手軽に引き出して使用できることから、使い勝手の良さが確保される、使い捨て綿棒が順次に排出される耳掻きに関する。
【背景技術】
【０００２】
一般に、一方の端に綿塊が設けられる綿棒は、老若男女を問わずに様々な用途に多用される生活用品である。耳を掻くときだけではなく、女性が化粧を直したり赤ちゃんの鼻から異物を抜き出したりするとき、或いは、傷に軟膏などの薬を塗るときにも綿棒が用いられる。
【０００３】
この種の綿棒は、通常、綿棒立てなどのケースに大量の綿棒を入れて保管し、ユーザが使用したいときに前記ケースに形成された引出孔を介して綿棒を引き出すなどして使用するが、ユーザが小さな引出孔を介して綿棒を引き出して使用するときにやや不便さを感じてしまうという欠点があり、しかも、前記ケースに立てられている綿棒が多く消耗されることに伴い、前記ケースに立てられている綿棒が直立できずに横たわって引出し難いという不都合があった。
【０００４】
また、通常、綿棒はやや長尺状に形成されるが故に、前記多数の綿棒を入れるための前記ケースが肥大化して携行し難く、その結果、出かけ時にユーザが綿棒を使用したくなった場合には綿棒を入手し難いが故に、使い勝手が悪かった。
【０００５】
更に、通常、綿棒は、細い棒状を有するが故に、ユーザの手で安定的に把持し難く、ユーザが前記綿棒を把持した状態で前記綿棒を細かく動かし難いが故に、使い勝手が悪いという欠点があった。
【発明の概要】
【発明が解決しようとする課題】
【０００６】
本発明は、上述した諸問題を解消するために案出されたものであり、その目的は、長尺のペン状の案内棒に短尺状に形成される多数の綿棒を一列に長く連ねて内蔵するような構造を有し、携行し易さを確保するために案内棒をコンパクト化させても大量の綿棒が保管できることから、携行性が確保されるだけではなく、引出手段を用いて案内棒の一方の端に綿棒を順次に且つ手軽に引き出して使用できることから、使い勝手の良さが確保される、使い捨て綿棒が順次に排出される耳掻きを提供することにある。
【０００７】
また、ユーザが手で把持する案内棒が全体的にペン状を有することから、ユーザが案内棒を安定的に把持して綿棒の細かい動きを誘導して、通常の綿棒の用途だけではなく、傷を消毒したり薬を塗ったりするなど医療用にも好適に使用できる、使い捨て綿棒が順次に排出される耳掻きを提供することにある。
【課題を解決するための手段】
【０００８】
上述した目的を達成するための本発明による使い捨て綿棒が順次に排出される耳掻きは、内部は貫通され、内部に一列に収容される多数の綿棒が抜脱されないように一方向に導く案内棒と、前記案内棒に内蔵されるものであり、一方の端には耳垢を取り易くするための吸着部材が形成され、他方の端には嵌込溝が刻設される多数の綿棒と、を備え、前記綿棒の一方の端が他の前記綿棒の嵌込溝に嵌め込まれるようになっており、多数の前記綿棒が一列に前記案内棒の内部に収容されるが、前記案内棒の一方の端には一つの前記綿棒が露設されてユーザが露設された前記綿棒を使用できるようにすることを特徴とする。
【０００９】
好ましくは、本発明による使い捨て綿棒が順次に排出される耳掻きは、前記綿棒の吸着部材として綿塊を使用するか、或いは、前記吸着部材をへら状に形成して使用する。
【００１０】
また、好ましくは、本発明による使い捨て綿棒が順次に排出される耳掻きは、前記案内棒の他方の端を閉じて前記案内棒に収容される前記綿棒の外部への抜脱を防ぐ蓋体を更に備える。
【００１１】
更に、好ましくは、本発明による使い捨て綿棒が順次に排出される耳掻きは、前記案内棒に収容される多数の前記綿棒を順次に前記案内棒の一方の端に引き出す引出手段を更に備え、ユーザが前記引出手段を操作して前記案内棒に収容された前記綿棒を順次に且つ手軽に外部に引き出して使用できるようにする。
【００１２】
更にまた、好ましくは、本発明による使い捨て綿棒が順次に排出される耳掻きにおいて、前記引出手段は、前記案内棒の一方の端の内周面に形成される固定溝と、前記案内棒の一方の端に前記固定溝と向かい合うように形成される固定孔と、一方の側には前記固定溝に嵌着される固定突起が形成され、他方の端には前記固定孔を貫通して外部に露出される引出ボタンが形成され、内部には前記綿棒の外周面を押し付けて結束するように長円状の結束孔が形成されるものであり、弾性を有する結束部材と、を備え、ユーザが前記結束部材の引出ボタンを押下すると、前記結束部材の他方の端が押し付けられながら前記結束部材の結束孔が真円状に変形されて前記綿棒が結束孔を手軽に通過して前記案内棒の外部に引き出されるようにし、ユーザが前記引出ボタンの押下を解放すると、真円状に押し付けられて変形された前記結束孔が長円状に戻りながら前記綿棒を押し付けて前記綿棒を強固に結束する。
【００１３】
更にまた、好ましくは、本発明による使い捨て綿棒が順次に排出される耳掻きは、前記案内棒の一方の端を閉じて前記案内棒の一方の端に露設される前記綿棒の露出を防ぐキャップを更に備える。
【００１４】
更にまた、好ましくは、本発明による使い捨て綿棒が順次に排出される耳掻きにおいて、前記案内棒の内周面には、前記案内棒に収容される多数の前記綿棒を安定的に搬送して導く案内ガイドが前記案内棒の長手方向に長く少なくとも２以上形成される。
【発明の効果】
【００１５】
以上述べたように、本発明による使い捨て綿棒が順次に排出される耳掻きによれば、長尺のペン状の案内棒に短尺状に形成される多数の綿棒を一列に長く連ねて内蔵するような構造を有し、携行し易さを確保するために案内棒をコンパクト化させても大量の綿棒が保管できることから、携行性が確保されるという効果があるだけではなく、引出手段を用いて案内棒の一方の端に綿棒を順次に且つ手軽に引き出して使用できることから、使い勝手の良さが確保されるという効果がある。
【００１６】
また、ユーザが手で把持する案内棒が全体的にペン状を有することから、ユーザが案内棒を安定的に把持して綿棒の細かい動きを誘導して、通常の綿棒の用途だけではなく、傷を消毒したり薬を塗ったりするなど医療用にも好適に使用できるという効果がある。
【図面の簡単な説明】
【００１７】
【図１】図１は、本発明の実施形態による使い捨て綿棒が順次に排出される耳掻きの斜視図である。
【図２】図２は、図１に示す使い捨て綿棒が順次に排出される耳掻きの分解斜視図である。
【図３】図３は、図１に示す使い捨て綿棒が順次に排出される耳掻きのＡ−Ａ断面図である。
【図４】図４は、図１に示す使い捨て綿棒が順次に排出される耳掻きの使用状態図である。
【発明を実施するための形態】
【００１８】
以下、添付図面に基づき、本発明の好適な実施形態による使い捨て綿棒が順次に排出される耳掻きについて詳細に説明する。
【００１９】
図１から図４は、本発明の実施形態による使い捨て綿棒が順次に排出される耳掻きを示すものであり、図１は、本発明の実施形態による使い捨て綿棒が順次に排出される耳掻きの斜視図であり、図２は、図１に示す使い捨て綿棒が順次に排出される耳掻きの分解斜視図であり、図３は、図１に示す使い捨て綿棒が順次に排出される耳掻きのＡ−Ａ断面図であり、図４は、図１に示す使い捨て綿棒が順次に排出される耳掻きの使用状態図である。
【００２０】
同図に示すように、本発明の実施形態による使い捨て綿棒が順次に排出される耳掻き１００は、案内棒１０と、綿棒２０と、を備える。
【００２１】
図１から図３に示すように、前記案内棒１０は、内部は貫通され、内部に一列に収容される多数の後述する前記綿棒２０が抜脱されないように一方向に導く。
【００２２】
本発明による使い捨て綿棒が順次に排出される耳掻き１００の案内棒１０は、棒状に且つ長尺のペン状に形成されて、ユーザが案内棒１０を安定的に把持できることから、前記案内棒１０の一方の端に露設される前記綿棒２０の細かい動きを誘導して、ユーザに使い勝手のよさを与えるという効果がある。
【００２３】
図１から図３に示すように、前記綿棒２０は、前記案内棒１０に多数内蔵されるものであり、一方の端には耳垢を取り易くするための吸着部材２１が形成され、他方の端には嵌込溝２２が刻設される。
【００２４】
すなわち、図２に示すように、前記綿棒２０の一方の端が他の前記綿棒２０の嵌込溝２２に嵌め込まれて積み重ねられるような構造を有し、前記多数の綿棒２０が一列に前記案内棒１０の内部に収容されるが、前記案内棒１０の一方の端には一つの前記綿棒２０が露設されるので、ユーザは、前記案内棒１０を把持して露設された前記綿棒２０を手軽に使用することができる。
【００２５】
本発明による使い捨て綿棒が順次に排出される耳掻き１００の吸着部材２１としては、耳を掻くときだけではなく、女性が化粧を直したり赤ちゃんの鼻から異物を抜き出したりするとき、或いは、傷に軟膏などの薬を塗るときにも用いられ易いように綿塊が採用されるが、前記吸着部材２１を耳掻き専用に前記綿棒２０の先端からへら状に延設して使用してもよいということはいうまでもない。
【００２６】
一方、図１から図３に示すように、本発明による使い捨て綿棒が順次に排出される耳掻きは、前記案内棒１０の他方の端を閉じて前記案内棒１０に収容される前記綿棒１０の外部への抜脱を防ぐ蓋体３０を更に備えて製品の構造的な安定性の向上を図ることが好ましい。
【００２７】
また、図１から図３に示すように、本発明による使い捨て綿棒が順次に排出される耳掻きは、前記案内棒１０の一方の端を閉じて前記案内棒１０の一方の端に露設される前記綿棒２０の露出を防ぐキャップ５０を更に備えて、外部に露出される前記綿棒２０が外部の環境により汚れることを防いで前記綿棒２０の衛生的な使用を誘導することが好ましい。
【００２８】
更に、図１から図３に示すように、本発明による使い捨て綿棒が順次に排出される耳掻きは、前記案内棒１０に収容される多数の前記綿棒２０を順次に前記案内棒１０の一方の端に引き出すものであり、前記案内棒１０の一方の端の内周面に形成される固定溝４１と、前記案内棒１０の一方の端に前記固定溝４１と向かい合うように形成される固定孔４２と、一方の側には前記固定溝４１に嵌着される固定突起４３ａが形成され、他方の端には前記固定孔４２を貫通して外部に露出される引出ボタン４３ｂが形成され、内部には前記綿棒２０の外周面を押し付けて結束するように長円状の結束孔４３ｃが形成されるものであり、弾性を有する結束部材４３と、を備えることが好ましい。
【００２９】
すなわち、図４Ｃに示すように、ユーザが前記結束部材４３の引出ボタン４３ｂを押下すると、前記結束部材４３の他方の端が押し付けられながら前記結束部材４３の結束孔４３ｃが真円状に変形されて前記綿棒２０が結束孔４３ｃを手軽に通過して前記案内棒１０の外部に引き出されるようにし、図４Ｄに示すように、ユーザが前記引出ボタン４３ｂの押下を解放すると、真円状に押し付けられて変形された前記結束孔４３ｃが長円状に戻りながら前記綿棒２０を押し付けて前記綿棒２０を強固に結束する。
【００３０】
これにより、ユーザは、前記引出手段４０を操作して前記案内棒１０に収容された前記綿棒２０を順次に且つ手軽に外部に引き出して使用することができる。
【００３１】
一方、図２に示すように、前記案内棒１０の内周面には、前記案内棒１０に収容される多数の前記綿棒２０を安定的に搬送して導く案内ガイド６０を前記案内棒１０の長手方向に長尺状に少なくとも２以上形成して、製品の構造的な安定性の向上が図られるように設計することが好ましい。
【００３２】
これらの構成要素を有する本発明による使い捨て綿棒が順次に排出される耳掻き１００は、長尺のペン状の案内棒１０に短尺状に形成される多数の綿棒２０を一列に長く連ねて内蔵するような構造を有し、携行し易さを確保するために案内棒１０をコンパクト化させても大量の綿棒２０が保管できることから、携行性が確保されるという効果があるだけではなく、引出手段４０を用いて案内棒１０の一方の端に綿棒２０を順次に且つ手軽に引き出して使用できることから、使い勝手の良さが確保されるという効果がある。
【００３３】
また、ユーザが手で把持する案内棒１０が全体的にペン状を有することから、ユーザが案内棒１０を安定的に把持して綿棒２０の細かい動きを誘導して、通常の綿棒の用途だけではなく、傷を消毒したり薬を塗ったりするなど医療用にも好適に使用できるという効果がある。
【００３４】
上述した構成を有する本発明の実施形態による使い捨て綿棒が順次に排出される耳掻き１００は、下記のように使用する。
【００３５】
まず、本発明の使い捨て綿棒が順次に排出される耳掻き１００を使用するために、図４Ａに示すように、互いに連なって一列に長尺状に形成された多数の綿棒２０を案内棒１０の内部に嵌め込んで内蔵する。
【００３６】
このとき、前記案内棒１０の他方の端は蓋体３０で閉じて前記案内棒１０に内蔵された前記綿棒２０の抜脱を防ぎ、前記案内棒１０の一方の端はキャップ５０で閉じて前記案内棒１０の一方の端に露設された前記綿棒２０が外部の環境により汚れることを防ぐ。
次いで、図４Ｂに示すように、前記綿棒２０を使用したくなると、ユーザは、前記キャップ５０を開いて前記案内棒１０の一方の端に露設される前記綿棒２０を手軽に使用すればよい。
【００３７】
次いで、図４Ｃに示すように、前記綿棒２０を取り替えたくなると、ユーザは、前記案内棒１０の外部に露出される結束部材４３の引出ボタン４３ｂを押下して前記結束部材４３の結束孔４３ｃを真円に変形して前記綿棒２０が結束孔４３ｃを手軽に通過するようにして、前記案内棒１０に内蔵された新たな前記綿棒２０を引き出す。
【００３８】
ここで、前記綿棒２０は、自由落下して前記案内棒１０の一方の端に引き出されるということはいうまでもない。
【００３９】
上述したように、案内棒１０の一方の端に新たな前記綿棒２０が引き出されると、図４Ｄに示すように、ユーザは、前記引出ボタン４３ｂの押下を解放して、真円状に押し付けられて変形された前記結束孔４３ｃが長円状に戻りながら前記綿棒２０を押し付けて前記綿棒２０が強固に結束されるようにする。
【００４０】
このとき、使用済みの前記綿棒２０は、新たに引き出された前記綿棒２０から手軽に分離・回収して廃棄すればよい。
【００４１】
次いで、図４Ｅに示すように、使用し終わると、前記案内棒１０の一方の端を前記キャップ５０で閉じて手軽に携行できるように保管すればよい。
【００４２】
本発明は、添付の図面に開示された実施形態を参考として説明されたが、これは単なる例示的なものに過ぎず、上述した実施形態に何ら限定されるものではなく、当該分野において通常の知識を有する者であれば、これより種々の変形例及び均等な実施形態が採用可能であるということが理解できる筈である。なお、本発明の思想を逸脱しない範囲内において当業者にとって変形可能であるということはいうまでもない。よって、本発明において請求する権利の範囲は、詳細な説明の範囲内に定められるわけではなく、後述する特許請求の範囲及びその技術的な思想により定められるべきである。
【図１】
2016539754.tif 000003
【図２】
2016539754.tif 000004
【図３】
2016539754.tif 000005
【図４Ａ】
2016539754.tif 000006
【図４Ｂ】
2016539754.tif 000007
【図４Ｃ】
2016539754.tif 000008
【図４Ｄ】
2016539754.tif 000009
【図４Ｅ】
2016539754.tif 000010
【国際調査報告】
2016539754.tif 000011
2016539754.tif 000012
2016539754.tif 000013
2016539754.tif 000014